(57)【特許請求の範囲】
【請求項１】
スクリーン版に供給した印刷用ペーストを進行方向に均一に拡張するスクリーン印刷機用の板状のスクレーパーであって、前記印刷用ペーストに接触して前記進行方向に拡張する拡張面を有する板状の主部と、前記主部の厚みを成す面を前記スクリーン版に接触または近接して、前記印刷用ペーストを前記進行方向に拡張する時に、前記拡張面の長さ方向の両端部からはみ出る前記印刷用ペーストを、前記拡張面に接触可能な位置に掻き寄せる第１の回収面を有した第１の印刷用ペースト回収部と、前記第１の回収面からはみ出る前記印刷用ペーストを前記拡張面に接触可能な位置に掻き寄せる第２の回収面を有した第２の印刷用ペースト回収部とを備え、前記主部は、前記拡張面を有する本体部と、前記本体部の長さ方向の両端部に設けられ、前記進行方向に折り曲げられた、前記印刷用ペーストに接触しない接合部とを有し、前記第１の印刷用ペースト回収部は、前記本体部の長さ方向の両端部に、前記接合部より内側に設けられ、前記第２の印刷用ペースト回収部は、前記接合部に設けられてなり、前記本体部と前記接合部と前記第２の印刷用ペースト回収部とで空間が形成され、前記第１の回収面の厚みを成す面と、前記本体部の厚みを成す面と、前記第２の回収面の厚みを成す面は、同一面を形成して、前記スクリーン版に接触または近接するよう構成されたことを特徴とするスクレーパー。
【請求項２】
前記第２の回収面によって掻き寄せられた前記印刷用ペーストを、前記空間を通して、前記拡張面に接触可能な位置に移動するよう構成されたことを特徴とする請求項１に記載のスクレーパー。
【請求項３】
前記第１の回収面と、前記本体部は、前記進行方向に、９０度より大きく１８０度より小さい角度を成して開口していることを特徴とする請求項１又は２のいずれかに記載のスクレーパー。
【請求項４】
前記第２の回収面と、前記本体部は、前記進行方向に、９０度より大きく１８０度より小さい角度を成して開口していることを特徴とする請求項１乃至３のいずれかに記載のスクレーパー。
【発明の詳細な説明】
【技術分野】
【０００１】
本発明は、スクリーン印刷機に用いられる、スクリーン版の上のペーストを均一に拡張するためのスクレーパーに関するものである。
【背景技術】
【０００２】
スクリーン印刷は、印刷ステージ上に被印刷物を固定し、被印刷物に対して印刷位置にスクリーン版を合わせ、スクリーン版に印刷用ペーストを供給し、例えば金属等から成る板状のスクレーパーで印刷用ペーストを均一に拡張し、スクリーン版に設けた開口部を有する印刷パターンに印刷用ペーストを充填した後、例えば金属等から成る板状のスキージを介してスクリーン版を被印刷物に押し当て、印刷パターンに充填した印刷用ペーストを印刷パターンから押し出して被印刷物に印刷するものであり、雑誌の印刷等で一般に用いられるオフセット印刷等の印刷層が極めて薄い印刷であるのとは異なり、比較的印刷層に厚みを要する用途の印刷に用いられ、例えばプリント基板や積層型電子部品の製造加工等において、導電ペーストを被印刷物に塗布するなど電子工業界で広く用いられている。
【０００３】
スクリーン印刷は、印刷用ペーストを拡張させる拡張面を有するスクレーパーの本体部をスクリーン版に接触または近接させ、直線的に移動し、スクリーン版の上の印刷用ペーストを均一に拡張した後、板状のスキージをスクリーン版に圧接し、スクリーン版の上を直線的に移動させ、スクリーン版の上の印刷用ペーストを被印刷物に印刷する。引き続き印刷を行なう場合は、スクレーパーの本体部がスキージと逆方向に直線的に移動し、スキージが掻き寄せた印刷用ペーストを再度スクリーン版の上に均一に拡張し、スキージがスクリーン版に圧接し、スクリーン版の上を直線的に移動して被印刷物に印刷する。
【０００４】
スクリーン印刷を繰り返し行なうと、スクレーパーの本体部の両端から印刷用ペーストがはみ出してしまい、はみ出した印刷用ペーストは、スクレーパーの本体部の拡張面に接触可能な位置になく、すなわちスクレーパーの本体部の可動範囲外となる為、以降の印刷には使用されず、印刷回数を重ねるにつれて、使用されなくなる印刷用ペーストが増加し、転写印刷可能なペーストが少なくなり、被印刷物の印刷がかすれて印刷不良になるという問題があった。
【０００５】
上記問題に対し、スクレーパーの本体部の両端からはみ出てくる印刷用ペーストを塞き止めるサイドガイドを設ける技術が開示されている。このようなスクレーパーは、例えば特許文献１に示されている。
【０００６】
更に、上記問題に対し、スクレーパーの本体部の両端に、一対の印刷用ペースト掻き寄せ装置を設け、スクレーパーの移動方向と直交する方向に直線的に移動し、スクリーン版の中央に印刷用ペーストを集める技術が開示されている。このような印刷機は、例えば特許文献２に示されている。
【０００７】
【特許文献１】特開２００３−２５５４４公報
【特許文献２】特開２００３−３１１９２１公報
【発明の開示】
【発明が解決しようとする課題】
【０００８】
例えば、従来技術のペースト拡散防止用のサイドガイドでは、常にスクリーン版に圧接しておかなければならず、また、従来技術の印刷用ペースト掻き寄せ装置を設けた印刷機では、スキージが掻き寄せた印刷用ペーストを再度スクリーン版の上に均一に拡張する前に、印刷用ペースト掻き寄せ装置がスクリーン版に接触しながら移動し、印刷用ペーストを掻き寄せる為に、スクリーン版が損傷する可能性が高く、スクリーン版の寿命を短縮する危険性がある。また、印刷用ペーストを掻き寄せる作業工程を新たに加えており、作業時間の増加となり、いずれも製造コストアップにつながる可能性がある。
【０００９】
更に、従来技術の印刷用ペースト掻き寄せ装置を設けた印刷機のように専用ユニットを別に必要とする場合、印刷機が大型化し、作業者が印刷位置等の諸条件の微調整を行なう際に制約が生じる可能性がある。
【００１０】
本発明の課題は、上記問題に鑑み、スクリーン版への損傷を抑え、印刷時に印刷用ペーストがスクレーパーの本体部の可動範囲からはみ出すことを防止するスクレーパーを提供することである。
【課題を解決するための手段】
【００１１】
本発明は、印刷用ペーストを拡張させる拡張面を有するスクレーパーの本体部をスクリーン版に接触または近接させて、直線的に移動し、スクリーン版の上の印刷用ペーストを均一に拡張した後、スクレーパーの本体部はスクリーン版の上方に退避し、板状のスキージをスクリーン版に圧接し、スクリーン版の上を直線的に移動させ、印刷用ペーストを被印刷物に印刷するスクリーン印刷機に関するものである。
【００１２】
スキージが移動して印刷を行った後、スキージはスクリーン版の上方に退避し、スクリーン版の上にはスキージが掻き寄せた印刷用ペーストと、スキージの両端からはみ出した印刷用ペーストが残る。
【００１３】
連続して印刷を行う場合は、このスクリーン版の上に残った印刷用ペーストをスクレーパーの本体部で再度スクリーン版の上に均一に拡張させなければならないが、スクレーパーの本体部の可動範囲外に伸びた印刷用ペーストや、繰り返し印刷を行なった際にスクレーパーの本体部の両端からはみ出す印刷用ペーストは、スクレーパーの本体部で回収できない。
【００１４】
本発明は、印刷用ペーストを拡張させる拡張面を有するスクレーパーの本体部の両端に、面内幅方向に折り目を有し、折り目を頂点として９０度より大きく、１８０度より小さい角度を持つ第１の回収面を有した第１の印刷用ペースト回収部を設け、第１の印刷用ペースト回収部の厚みを成す面をスクリーン版に接触または近接させ、第１の印刷用ペースト回収部をスクレーパーの本体部と共に移動し、スクレーパーの本体部の可動範囲外に伸びた印刷用ペーストや繰り返し印刷を行なった際にスクレーパーの本体部の両端からはみ出す印刷用ペーストを、第１の印刷用ペースト回収部を成す第１の回収面で掻き寄せて、スクレーパーの本体部の可動範囲内に移動させるものである。
【００１５】
更に、第１の印刷用ペースト回収部の外側のスクレーパーの本体部の両端部近傍に、スクレーパーの本体部の進行方向面であり、印刷用ペーストに接触し、均一に拡張する面であるところのスクレーパーの本体部を成す拡張面、及び第１の印刷用ペースト回収部を成す第１の回収面と接触せず、スクレーパーの本体部との間に空間を構成し、スクレーパーの本体部の両端の延長線上で交差し、スクレーパーの本体部を成す拡張面、及びスクレーパーの本体部を成す拡張面の裏面に各々突き出した面からなる第２の回収面を有した第２の印刷用ペースト回収部を設け、第２の印刷用ペースト回収部を成す第２の回収面と、スクレーパーの本体部を成す拡張面との成す角度が９０度より大きく、１８０度より小さくなるように設置して、印刷回数が多くなり発生する第１の印刷用ペースト回収部からはみ出す印刷用ペーストを、第２の印刷用ペースト回収部を成す第２の回収面で掻き寄せ、第２の印刷用ペースト回収部を成す第２の回収面に沿ってスクリーン版の上を移動させ、スクレーパーの本体部の両端と第２の印刷用ペースト回収部を成す第２の回収面間に設けた空間を通り、スクレーパーの本体部を成す拡張面の裏面側であって、スクレーパーの本体部の可動範囲内である位置に移動させるものである。
【００１６】
更に、第１の印刷用ペースト回収部及び第２の印刷用ペースト回収部は、スクレーパーの本体部が移動し、印刷用ペーストを均一に拡張するのと同時に、同方向へ移動し、スクレーパーの本体部からはみ出した印刷用ペーストを回収するもので、従来技術の、例えば、印刷用ペースト掻き寄せ装置の様に、印刷用ペーストを掻き寄せる動作を独立して行う必要がなく、印刷作業時間の短縮、及びスクリーン版への負荷を減少させる事ができる。
【００１７】
上述のように、本発明は、スクレーパーの本体部の両端及びその外側に設けた印刷用ペースト回収部で、印刷用ペーストをスクレーパーの本体部の可動範囲内に掻き寄せる事により問題解決を図るものである。
【００１８】
本発明によれば、スクリーン版に供給した印刷用ペーストを進行方向に均一に拡張するスクリーン印刷機用の板状のスクレーパーであって、前記印刷用ペーストに接触して前記進行方向に拡張する拡張面を有する板状の主部と、前記主部の厚みを成す面を前記スクリーン版に接触または近接して、前記印刷用ペーストを前記進行方向に拡張する時に、前記拡張面の長さ方向の両端部からはみ出る前記印刷用ペーストを、前記拡張面に接触可能な位置に掻き寄せる第１の回収面を有した第１の印刷用ペースト回収部と、前記第１の回収面からはみ出る前記印刷用ペーストを前記拡張面に接触可能な位置に掻き寄せる第２の回収面を有した第２の印刷用ペースト回収部とを備え、前記主部は、前記拡張面を有する本体部と、前記本体部の長さ方向の両端部に設けられ、前記進行方向に折り曲げられた、前記印刷用ペーストに接触しない接合部とを有し、前記第１の印刷用ペースト回収部は、前記本体部の長さ方向の両端部に、前記接合部より内側に設けられ、前記第２の印刷用ペースト回収部は、前記接合部に設けられてなり、前記本体部と前記接合部と前記第２の印刷用ペースト回収部とで空間が形成され、前記第１の回収面の厚みを成す面と、前記本体部の厚みを成す面と、前記第２の回収面の厚みを成す面は、同一面を形成して、前記スクリーン版に接触または近接するよう構成されたことを特徴とするスクレーパーが得られる。
【００２０】
本発明によれば、前記第２の回収面によって掻き寄せられた前記印刷用ペーストを、前記空間を通して、前記拡張面に接触可能な位置に移動するよう構成されたことを特徴とするスクレーパーが得られる。
【００２１】
本発明によれば、前記第１の回収面と、前記本体部は、前記進行方向に、９０度より大きく１８０度より小さい角度を成して開口していることを特徴とするスクレーパーが得られる。
【００２２】
本発明によれば、前記第２の回収面と、前記本体部は、前記進行方向に、９０度より大きく１８０度より小さい角度を成して開口していることを特徴とするスクレーパーが得られる。
【発明の効果】
【００２３】
本発明によれば、スクリーン版への損傷を抑え、印刷時に印刷用ペーストがスクレーパーの可動範囲からはみ出すことを防止するスクレーパーが得られる。
【発明を実施するための最良の形態】
【００２４】
本発明によるスクレーパーは、印刷用ペーストをスクレーパーの本体部の可動範囲内に掻き寄せる回収面から成る印刷用ペースト回収部を、スクレーパーの本体部の両端部と両端の延長線上の両端部近傍に設け、印刷時にスクレーパーの本体部の可動範囲からはみ出す印刷用ペーストをスクレーパーの可動範囲内に掻き寄せるものである。
【００２５】
スクレーパーの本体部は、アルミニウム、アルミニウム合金、鉄、ステンレス、ウレタンゴム、ポリエチレン、ポリプロピレン等のいずれの素材でも良く、耐久性、耐溶剤性を考慮すればステンレスが好ましい。スクレーパーの本体部の面積は、印刷に使用するスクリーン版の印刷範囲を考慮し、適宜選択するのが良い。スクレーパーの本体部の厚みは、いずれの厚みでも良く、加工性及び取り扱いを考慮すれば、１ｍｍ程度が好ましい。
【００２６】
第１の印刷用ペースト回収部の素材は、アルミニウム、アルミニウム合金、鉄、ステンレス、ウレタンゴム、ポリエチレン、ポリプロピレン等のいずれの素材でも良く、耐久性、耐溶剤性を考慮すればステンレスが好ましい。第１の印刷用ペースト回収部を成す第１の回収面は、印刷用ペーストを掻き寄せる事ができる面であればどのような面を用いても良いが、効率性を考慮すれば、平面が好ましい。第１の印刷用ペースト回収部の形状は、第１の回収面を成す平面を有していればどのような形状でも良いが、取り扱いを考慮すれば、板材が好ましい。第１の印刷用ペースト回収部の外形寸法は印刷に使用するスクリーン版の印刷範囲を考慮し、適宜選択するのが良い。第１の印刷用ペースト回収部の厚みは、いずれの厚みでも良く、加工性及び取り扱いを考慮すれば、１ｍｍ程度が好ましい。
【００２７】
第１の印刷用ペースト回収部を成す第１の回収面と、スクレーパーの本体部を成す拡張面が構成する角度は、印刷用ペーストを拡張する方向、すなわち進行方向に、９０度より大きく１８０度より小さければ良く、印刷用ペースト及びスクリーン版から受ける抵抗を考慮し、第１の印刷用ペースト回収部とスクレーパーの移動時の動作安定性を図る為には、１２０度程度が好ましい。
【００２８】
第１の印刷用ペースト回収部をスクレーパーの本体部の両端へ接合するには、溶接、ネジ締結、金属接着剤による接着等いずれの手段でも良く、耐久性、耐溶剤性を考慮すれば溶接が好ましい。更に、スクレーパーの本体部の拡張面と、第１の印刷用ペースト回収部を成す第１の回収面が構成する角度を１２０度程度に保持する為に、第１の印刷用ペースト回収部を成す板材を面内幅方向に折り、１２０度の角度を得て、スクレーパーの本体部の両端部と面接合するのが好ましい。
【００２９】
第１の印刷用ペースト回収部とスクレーパーの本体部は、第１の印刷用ペースト回収部の厚みを成す面と、スクリーン版に対向するスクレーパーの本体部の厚みを成す面が同一面を形成するように配置し、接合する。
【００３０】
第２の印刷用ペースト回収部の素材は、アルミニウム、アルミニウム合金、鉄、ステンレス、ウレタンゴム、ポリエチレン、ポリプロピレン等のいずれの素材でも良く、耐久性、耐溶剤性を考慮すればステンレスが好ましい。第２の印刷用ペースト回収部を成す第２の回収面は、印刷用ペーストを掻き寄せる事ができる面であればどのような面を用いても良いが、効率性を考慮すれば、平面が好ましい。第２の印刷用ペースト回収部の形状は、第２の回収面を成す平面を有していればどのような形状でも良いが、取り扱いを考慮すれば、板材が好ましい。第２の印刷用ペースト回収部の外形寸法は、印刷に使用するスクリーン版の印刷範囲を考慮し、適宜選択するのが良く、スクレーパーの本体部を成す拡張面側に突出する第２の回収面の大きさは、第１の印刷用ペースト回収部を成す第１の回収面がスクレーパーの本体部を成す拡張面側に突出する面より大きく、スクレーパーの本体部を成す拡張面の裏面側に突出する第２の回収面の大きさは、印刷に使用するスクリーン版の印刷範囲に達しない大きさとするのが好ましい。第２の印刷用ペースト回収部の厚みは、いずれの厚みでも良く、加工性及び取り扱いを考慮すれば、１ｍｍ程度が好ましい。
【００３１】
第２の印刷用ペースト回収部を成す第２の回収面と、スクレーパーの本体部を成す拡張面が構成する角度は、印刷用ペーストを拡張する方向、すなわち進行方向に、９０度より大きく１８０度より小さければ良く、印刷用ペースト及びスクリーン版から受ける抵抗を考慮し、第１の印刷用ペースト回収部とスクレーパーの移動時の動作安定性を図る為には、１３０度程度が好ましい。
【００３２】
第２の印刷用ペースト回収部とスクレーパーの本体部との接合は、スクレーパーの本体部両端の延長線上であって、第１の印刷用ペースト回収部の外側の位置に、溶接、ネジ締結、金属接着剤による接着等いずれの手段でも良く、耐久性、耐溶剤性を考慮すれば溶接が好ましい。第２の印刷用ペースト回収部を成す第２の回収面と、スクレーパーの本体部を成す拡張面が構成する角度を１３０度程度に保持する為に、スクレーパーの本体部の幅より小さい幅で、スクレーパーの本体部の両端から長さ方向に延長した、印刷用ペーストに接触しない、すなわちスクリーン版に接触または近接しない接合部を設け、Ｔ字型形状のスクレーパーの主部を得て、スクレーパーの主部を成す接合部の一部を進行方向側へ、面内幅方向に折り、１３０度の角度を得て、折り曲げた接合部と第２の印刷用ペースト回収部を面接合するのが良い。
【００３３】
第２の印刷用ペースト回収部とスクレーパーの主部を成す接合部は、第２の印刷用ペースト回収部の厚みを成す面と、スクリーン版に対向するスクレーパーの本体部の厚みを成す面が同一面を形成するように配置し、接合する。
【００３４】
スクレーパーの主部を成す接合部はスクリーン版に接触せず、第２の印刷用ペースト回収部を成す第２の回収面と、スクレーパーの本体部の拡張面及び第１の印刷用ペースト回収部を成す第１の回収面とは接触しないように配置し、第２の印刷用ペースト回収部とスクレーパーの本体部との間、すなわち接合部とスクリーン版との間に空間を設け、第２の印刷用ペースト回収部で掻き寄せられた印刷用ペーストは、第２の印刷用ペースト回収部を成す第２の回収面に沿って移動し、第２の印刷用ペースト回収部とスクレーパーの本体部との間、すなわち接合部とスクリーン版との間に設けた空間を通って、スクレーパーの本体部を成す拡張面の裏面側であって、スクレーパーの本体部の可動範囲内に移動する。
【００３５】
第２の印刷用ペースト回収部とスクレーパーの本体部との間、すなわち接合部とスクリーン版との間に設けた空間の大きさは、第２の印刷用ペースト回収部が掻き集めた印刷用ペーストを支障なく移動できる程度の空間があれば良く、空間の大きさは適宜選択するのが良い。
【実施例】
【００３６】
以下、本発明の実施例について図面を参照しながら説明する。
【００３７】
（実施例１）
図１は、本発明のスクレーパーを用いたスクリーン印刷機を示す図である。
【００３８】
本発明では、一般的なスクリーン印刷機を使用した。印刷ステージ９に被印刷物１０を配置し、被印刷物１０の上方にスクリーン版７を設置し、スクリーン版７の上方に配置したスキージ固定部６にスキージ５を固定し、本発明の第１の印刷用ペースト回収部２及び第２の印刷用ペースト回収部３を設けたスクレーパーの本体部１をスクレーパー固定部４に固定した後、スクリーン版７に印刷用ペースト８を供給し、印刷を行った。
【００３９】
図２は、本発明のスクレーパーを示す図で、図２（ａ）はスクレーパーの前部、すなわち進行方向面側から見た斜視図であり、図２（ｂ）はスクレーパーの後部、すなわち進行方向面とは逆面側から見た斜視図であり、図２（ｃ）はスクレーパーの上面図である。
【００４０】
本発明によるスクレーパーは、スクレーパーの本体部１、第１の印刷用ペースト回収部２ａ、第１の印刷用ペースト回収部２ｂ、第２の印刷用ペースト回収部３ａ、第２の印刷用ペースト回収部３ｂ、スクレーパーの接合部１１ａ、スクレーパーの接合部１１ｂからなる。
【００４１】
スクレーパーの本体部１、スクレーパーの接合部１１ａ、及びスクレーパーの接合部１１ｂは、厚み１ｍｍのステンレス板を幅３０ｍｍで長さ１３０ｍｍに切断し、ステンレス板の幅方向の端辺の一方から寸法１５ｍｍで、ステンレス板の長さ方向の両端から各々、寸法１５ｍｍの面積を切り取り、Ｔ字型形状の板材を作成し、スクリーン版に対向する長さ方向の寸法が１００ｍｍの端辺を含む、幅３０ｍｍで長さ１００ｍｍのスクレーパーの本体部１と、スクレーパーの本体部１の両端に幅１５ｍｍで長さ１５ｍｍのスクレーパーの接合部１１ａ、及びスクレーパーの接合部１１ｂを得た。
【００４２】
第１の印刷用ペースト回収部２ａ、及び第１の印刷用ペースト回収部２ｂは、厚み１ｍｍのステンレス板を、幅３０ｍｍで長さ２０ｍｍに切断し、ステンレス板の長さ方向の端辺の一方から１０ｍｍの位置で、面内幅方向に折れ目を入れ、折れ目を支点とする角度が１２０度になるように折り曲げて調整した。
【００４３】
第１の印刷用ペースト回収部２ａ、及び第１の印刷用ペースト回収部２ｂは、スクレーパーの本体部１の長さ方向の寸法が１００ｍｍである端辺に直交する、幅方向の寸法が１５ｍｍである端辺に、第１の印刷用ペースト回収部２ａの折れ目を合わせ、更に、スクレーパーの本体部１の長さ方向の寸法が１００ｍｍである端辺に直交する、幅方向の寸法が１５ｍｍであるもう一方の端辺に、第１の印刷用ペースト回収部２ｂの折れ目を合わせ、スクレーパーの本体部１の拡張面と第１の印刷用ペースト回収部２ａの第１の回収面が成す角度、及びスクレーパーの本体部１の拡張面と第１の印刷用ペースト回収部２ｂの第１の回収面が成す角度が、各々１２０度になるように重ね、スクレーパーの本体部１の長さ方向の寸法が１００ｍｍである端辺の厚みを成す面と、第１の印刷用ペースト回収部２ａの長さ方向の寸法が２０ｍｍである端辺の厚みを成す面、及び第１の印刷用ペースト回収部２ｂの長さ方向の寸法が２０ｍｍである端辺の厚みを成す面が同一平面上となる様に配置し、溶接して接合した。
【００４４】
第２の印刷用ペースト回収部３ａ、及び第２の印刷用ペースト回収部３ｂは、厚み１ｍｍのステンレス板を幅３０ｍｍで長さ４０ｍｍに切断して得た。
【００４５】
スクレーパーの接合部１１ａ、及びスクレーパーの接合部１１ｂは、スクレーパーの接合部１１ａ、及びスクレーパーの接合部１１ｂの長さ方向の端辺から１０ｍｍ位置で、面内幅方向に折れ目を入れ、折れ目を支点とし、スクレーパーの本体部１の拡張面とスクレーパーの接合部１１ａの進行方向面が成す角度、及びスクレーパーの本体部１の拡張面とスクレーパーの接合部１１ｂの進行方向面が成す角度が、各々１３０度になるように折り曲げて調整した。
【００４６】
第２の印刷用ペースト回収部３ａ、及び第２の印刷用ペースト回収部３ｂは、第２の印刷用ペースト回収部３ａの長さ方向の寸法が４０ｍｍである端辺と、折り曲げたスクレーパーの接合部１１ａの長さ方向の寸法が１０ｍｍである端辺を合わせ、第２の印刷用ペースト回収部３ａの幅方向の寸法が３０ｍｍである端辺から１５ｍｍの位置に、折り曲げたスクレーパーの接合部１１ａの幅方向の寸法が１５ｍｍである端辺を合わせ、更に第２の印刷用ペースト回収部３ｂの長さ方向の寸法が４０ｍｍである端辺と、折り曲げたスクレーパーの接合部１１ｂの長さ方向の寸法が１０ｍｍである端辺を合わせ、第２の印刷用ペースト回収部３ｂの幅方向の寸法が３０ｍｍである端辺から１５ｍｍの位置に、折り曲げたスクレーパーの接合部１１ｂの幅方向の寸法が１５ｍｍである端辺を合わせ、スクレーパーの本体部１の長さ方向の寸法が１００ｍｍである端辺の厚みを成す面と、第２の印刷用ペースト回収部３ａの長さ方向の寸法が４０ｍｍである端辺の厚みを成す面、及び第２の印刷用ペースト回収部３ｂの長さ方向の寸法が４０ｍｍである端辺の厚みを成す面が同一平面上となる様に配置し、溶接して接合した。
【００４７】
上述のように本発明のスクレーパーを構成する部材を組み立て、スクレーパーの本体部１と第２の印刷用ペースト回収部３ａの間隔が５ｍｍの空間１２ａを得た。更に、スクレーパーの本体部１と第２の印刷用ペースト回収部３ｂの間隔が５ｍｍの空間１２ｂを得た。
【００４８】
図３は、本発明のスクレーパーの動作を示す図で、本発明のスクレーパーがスクリーン版の上に降下した状態を示し、図３（ａ）はスクリーン印刷機を示す図であり、図３（ｂ）はスクリーン版の上の状態を示す図である。
【００４９】
スクリーン版７には、幅２０ｍｍ、長さ７０ｍｍの印刷範囲内に印刷パターン１３を６個設けた。スキージ５は、スクリーン版に圧接する長さが１０５ｍｍのゴム製板状のものを用いた。スキージ５がスクリーン版７の上を移動し印刷が済み、スクリーン版７の上方に上昇して退避し、スクレーパーの本体部１、第１の印刷用ペースト回収部２ａ、第１の印刷用ペースト回収部２ｂ、第２の印刷用ペースト回収部３ａ、第２の印刷用ペースト回収部３ｂが、スクリーン版７の面から５０μｍの高さまで降下し、近接した。
【００５０】
スクリーン版７の上には、スキージ５が掻き寄せた印刷用ペースト８aと、スキージ５の両端からはみ出た印刷用ペースト８ｂ及び印刷用ペースト８ｃがあるが、スクレーパーの本体部１、第１の印刷用ペースト回収部２ａ、第１の印刷用ペースト回収部２ｂ、第２の印刷用ペースト回収部３ａ、第２の印刷用ペースト回収部３ｂとは接触していない。
【００５１】
図４は、本発明のスクレーパーの動作を示す図で、本発明のスクレーパーがスクリーン版の上を移動し、スクリーン版に印刷用ペーストを均一に拡張した状態を示し、図４（ａ）はスクリーン印刷機を示す図であり、図４（ｂ）はスクリーン版の上の状態を示す図である。
【００５２】
スクレーパーの本体部１は、スキージ５が掻き寄せた印刷用ペースト８a、印刷用ペースト８ｂ及び印刷用ペースト８ｃをスクリーン版７の上に均一に拡張した。更に、第１の印刷用ペースト回収部２ａ、第１の印刷用ペースト回収部２ｂ、第２の印刷用ペースト回収部３ａ、第２の印刷用ペースト回収部３ｂは、印刷用ペースト８ｂ及び印刷用ペースト８ｃをスクレーパーの本体部１の可動範囲内に掻き寄せた。
【００５３】
スクリーン版７の上には、スキージ５の可動範囲内であるところの印刷範囲内に、スクレーパーの本体部１が均一に拡張した印刷用ペースト８ｈと、スクレーパーの本体部１が掻き寄せた印刷用ペースト８aと、第１の印刷用ペースト回収部２ａ、第１の印刷用ペースト回収部２ｂ、第２の印刷用ペースト回収部３ａ、第２の印刷用ペースト回収部３ｂによって掻き寄せられた印刷用ペースト８ｂ及び印刷用ペースト８ｃが在り、いずれの印刷用ペーストも、スクレーパーの本体部１の可動範囲内に在る。
【００５４】
図５は、本発明のスクレーパーの動作を示す図で、本発明のスクレーパーがスクリーン版の上を移動し、スクリーン版に印刷用ペーストを均一に拡張した後、スクレーパーが上昇し、スキージがスクリーン版の上に降下した状態を示し、図５（ａ）はスクリーン印刷機を示す図であり、図５（ｂ）はスクリーン版の上の状態を示す図である。
【００５５】
スクレーパーの本体部１、第１の印刷用ペースト回収部２ａ、第１の印刷用ペースト回収部２ｂ、第２の印刷用ペースト回収部３ａ、第２の印刷用ペースト回収部３ｂは、スクリーン版７の上方に上昇して退避し、スキージ５は、スクリーン版７の上に降下し、圧接した。
【００５６】
スクリーン版７の上には、スキージ５の可動範囲内であるところの印刷範囲内に、スクレーパーの本体部１が均一に拡張した印刷用ペースト８ｈと、スクレーパーの本体部１が掻き寄せた印刷用ペースト８aと、第１の印刷用ペースト回収部２ａ、第１の印刷用ペースト回収部２ｂ、第２の印刷用ペースト回収部３ａ、第２の印刷用ペースト回収部３ｂによって掻き寄せられた印刷用ペースト８ｂ及び印刷用ペースト８ｃがあるが、スキージ５、スクレーパーの本体部１、第１の印刷用ペースト回収部２ａ、第１の印刷用ペースト回収部２ｂ、第２の印刷用ペースト回収部３ａ、第２の印刷用ペースト回収部３ｂとは接触していない。
【００５７】
図６は、本発明のスクレーパーの動作を示す図で、スキージがスクリーン版の上を移動し、印刷を行った直後の状態を示し、図６（ａ）はスクリーン印刷機を示す図であり、図６（ｂ）はスクリーン版の上の状態を示す図である。
【００５８】
スキージ５は、スクリーン版７の上を移動して印刷を行った。スクレーパーの本体部１、第１の印刷用ペースト回収部２ａ、第１の印刷用ペースト回収部２ｂ、第２の印刷用ペースト回収部３ａ、第２の印刷用ペースト回収部３ｂは、スクリーン版７の上方に退避した状態のままで、スキージ５と同じ方向へ移動した。
【００５９】
スクリーン版７の上には、スキージ５が掻き寄せた印刷用ペースト８aと、スキージ５の両端からはみ出た印刷用ペースト８ｂ及び印刷用ペースト８ｃがあるが、いずれの印刷用ペーストも、スクレーパーの本体部１、第１の印刷用ペースト回収部２ａ、第１の印刷用ペースト回収部２ｂ、第２の印刷用ペースト回収部３ａ、第２の印刷用ペースト回収部３ｂの可動範囲内である事を確認した。
【００６０】
すなわち、第１の印刷用ペースト回収部２ａ、第１の印刷用ペースト回収部２ｂ、第２の印刷用ペースト回収部３ａ、第２の印刷用ペースト回収部３ｂが、スクレーパーの本体部１の可動範囲内に、スクリーン版７の上の全ての印刷用ペーストを掻き寄せることができ、印刷を繰り返し行っても、スクリーン版７の上に使用されなくなる印刷用ペーストが発生しない事が分かった。
【００６１】
（比較例）
図７は、比較例のスクレーパーを示す図である。
【００６２】
比較例のスクレーパーの本体部１は、スキージ５のスクリーン版７と圧接する長さが１０５ｍｍであり、スキージ５の両端からはみ出す印刷用ペースト８ｂ及び印刷用ペースト８ｃを掻き寄せる為に、スキージ５よりスクリーン版７と近接する辺の長さを長くし、１２５ｍｍとした。
【００６３】
比較例では、上述の実施例１のスクリーン印刷機、スキージ、スクリーン版、及び印刷用ペーストを同様に用いた。上述の実施例１と異なる条件は、使用したスクレーパーのみである。
【００６４】
図８は、比較例のスクレーパーの動作を示す図で、比較例のスクレーパーがスクリーン版の上に降下した状態を示し、図８（ａ）はスクリーン印刷機を示す図であり、図８（ｂ）はスクリーン版の上の状態を示す図である。
【００６５】
スクリーン版７には、幅２０ｍｍ、長さ７０ｍｍの印刷範囲内に印刷パターン１３を６個設けた。スキージ５は、スクリーン版への圧接する長さが１０５ｍｍのゴム製板状のものを用いた。スキージ５がスクリーン版７の上を移動し印刷が済み、スクリーン版７の上方に上昇して退避し、スクレーパーの本体部１がスクリーン版７の面から５０μｍの高さまで降下し、近接した。
【００６６】
スクリーン版７の上には、スキージ５が掻き寄せた印刷用ペースト８aと、スキージ５の両端からはみ出た印刷用ペースト８ｂ及び印刷用ペースト８ｃがあるが、スクレーパーの本体部１とは接触していない。
【００６７】
図９は、比較例のスクレーパーの動作を示す図で、比較例のスクレーパーがスクリーン版の上を移動し、スクリーン版に印刷用ペーストを均一に拡張した状態を示し、図９（ａ）はスクリーン印刷機を示す図であり、図９（ｂ）はスクリーン版の上の状態を示す図である。
【００６８】
スクレーパーの本体部１は、スキージ５が掻き寄せた印刷用ペースト８a、印刷用ペースト８ｂ及び印刷用ペースト８ｃをスクリーン版７の上に均一に拡張した。
【００６９】
スクリーン版７の上には、スキージ５の可動範囲内であるところの印刷範囲内に、スクレーパーの本体部１が均一に拡張した印刷用ペースト８ｈと、スクレーパーの本体部１が掻き寄せた印刷用ペースト８aと、スクレーパーの本体部１の両端からはみ出した印刷用ペースト８ｂ及び印刷用ペースト８ｃがある。
【００７０】
図１０は、比較例のスクレーパーの動作を示す図で、比較例のスクレーパーがスクリーン版の上を移動し、スクリーン版に印刷用ペーストを均一に拡張した後、スクレーパーが上昇し、スキージがスクリーン版の上に降下した状態を示し、図１０（ａ）はスクリーン印刷機を示す図であり、図１０（ｂ）はスクリーン版の上の状態を示す図である。
【００７１】
スクレーパーの本体部１は、スクリーン版７の上方に上昇して退避し、スキージ５は、スクリーン版７の上に降下し、圧接した。
【００７２】
スクリーン版７の上には、スキージ５の可動範囲内であるところの印刷範囲内に、スクレーパーの本体部１が均一に拡張した印刷用ペースト８ｈと、スクレーパーの本体部１が掻き寄せた印刷用ペースト８aと、スクレーパーの本体部１の両端からはみ出した印刷用ペースト８ｂ及び印刷用ペースト８ｃがあるが、スキージ５及びスクレーパーの本体部１とは接触していない。
【００７３】
図１１は、比較例のスクレーパーの動作を示す図で、スキージがスクリーン版の上を移動し、印刷を行った直後の状態を示し、図１１（ａ）はスクリーン印刷機を示す図であり、図１１（ｂ）はスクリーン版の上の状態を示す図である。
【００７４】
スキージ５は、スクリーン版７の上を移動して印刷を行った。スクレーパーの本体部１は、スクリーン版７の上方に退避した状態のままで、スキージ５と同じ方向へ移動した。
【００７５】
スクリーン版７の上には、スキージ５が掻き寄せた印刷用ペースト８aと、スキージ５の両端からはみ出た印刷用ペースト８ｄ及び印刷用ペースト８ｅ、更にスクレーパーの本体部１の両端からはみ出した印刷用ペースト８ｂ及び印刷用ペースト８ｃと、スクレーパーの本体部１が掻き寄せた後、スキージ５の可動範囲外である為に残った印刷用ペースト８ｇ及び印刷用ペースト８ｆと、スクレーパーの本体部１が均一に拡張した後、スキージ５の可動範囲外である為に残った印刷用ペースト８ｉ及び印刷用ペースト８ｊがある。
【００７６】
印刷用ペースト８ｂ、印刷用ペースト８ｃ、印刷用ペースト８ｇ、印刷用ペースト８ｆは、スクレーパーの本体部１の可動範囲外である為、以降の印刷には使用されず、更に、印刷回数が増えるに伴い、スクレーパーの本体部１が掻き寄せた後、スキージ５の可動範囲外である為に残った印刷用ペースト８ｇ、及び印刷用ペースト８ｆと、スクレーパーの本体部１の両端からはみ出す印刷用ペースト８ｂ、及び印刷用ペースト８ｃの量が増えていく事を確認した。
【００７７】
すなわち、印刷を繰り返し行っていくと、スクリーン版７の上に十分な印刷用ペーストがあるにもかかわらず、印刷領域に必要な量の印刷用ペーストを供給できずに、印刷不良を発生させる事が分かった。
【００７８】
以上の比較より、本発明のスクレーパーによれば、印刷回数が増えてもスクリーン版の上の印刷用ペーストを常にスクレーパー可動範囲内に掻き寄せる事ができ、使用できなくなる印刷用ペーストの発生を防止できるが、従来のスクレーパーでは、使用できなくなる印刷用ペーストの発生を防止できない事が明確になった。
【００７９】
以上、実施例を用いて、この発明の実施の形態を説明したが、この実施例に限られるものでなく、この発明の趣旨を逸脱しない範囲の設計変更があっても本発明に含まれる。すなわち、当事者であれば、当然なしえるであろう各種変形、修正もまた本発明に含まれることは勿論である。
【産業上の利用可能性】
【００８０】
本発明のスクレーパーを用いることにより、スクリーン版に損傷を与える事無く、印刷用ペーストがスクレーパーの可動範囲からはみ出すことを防止し、繰り返し印刷する事が可能になり、作業者による掻き寄せといった煩雑な作業は必要なく、また供給した印刷用ペーストを有効に活用できる事から、スクリーン印刷の製造コストの削減が図れる。
【図面の簡単な説明】
【００８１】
【図１】本発明のスクレーパーを用いたスクリーン印刷機を示す図。
【図２】本発明のスクレーパーを示す図、図２（ａ）はスクレーパーの前部からの斜視図、図２（ｂ）はスクレーパーの後部からの斜視図、図２（ｃ）はスクレーパーの上面図。
【図３】本発明のスクレーパーの動作示す図、図３（ａ）はスクリーン印刷機を示す図、図３（ｂ）はスクリーン版の上の状態を示す図。
【図４】本発明のスクレーパーの動作示す図、図４（ａ）はスクリーン印刷機を示す図、図４（ｂ）はスクリーン版の上の状態を示す図。
【図５】本発明のスクレーパーの動作示す図、図５（ａ）はスクリーン印刷機を示す図、図５（ｂ）はスクリーン版の上の状態を示す図。
【図６】本発明のスクレーパーの動作示す図、図６（ａ）はスクリーン印刷機を示す図、図６（ｂ）はスクリーン版の上の状態を示す図。
【図７】比較例のスクレーパーを示す図。
【図８】比較例のスクレーパーの動作示す図、図８（ａ）はスクリーン印刷機を示す図、図８（ｂ）はスクリーン版の上の状態を示す図。
【図９】比較例のスクレーパーの動作示す図、図９（ａ）はスクリーン印刷機を示す図、図９（ｂ）はスクリーン版の上の状態を示す図。
【図１０】比較例のスクレーパーの動作示す図、図１０（ａ）はスクリーン印刷機を示す図、図１０（ｂ）はスクリーン版の上の状態を示す図。
【図１１】比較例のスクレーパーの動作示す図、図１１（ａ）はスクリーン印刷機を示す図、図１１（ｂ）はスクリーン版の上の状態を示す図。
【符号の説明】
【００８２】
１    スクレーパーの本体部
２、２ａ、２ｂ    第１の印刷用ペースト回収部  
３、３ａ、３ｂ    第２の印刷用ペースト回収部  
４    スクレーパー固定部
５    スキージ
６    スキージ固定部
７    スクリーン版
８、８a、８ｂ、８ｃ、８ｄ、８ｅ、８ｆ、８ｇ、８ｈ、８ｉ、８ｊ    印刷用ペースト
９    印刷ステージ
１０    被印刷物
１１ａ、１１ｂ    スクレーパーの接合部
１２ａ、１２ｂ    空間
１３    印刷パターン
【図１】
0005177642.tif 000002
【図２】
0005177642.tif 000003
【図３】
0005177642.tif 000004
【図４】
0005177642.tif 000005
【図５】
0005177642.tif 000006
【図６】
0005177642.tif 000007
【図７】
0005177642.tif 000008
【図８】
0005177642.tif 000009
【図９】
0005177642.tif 000010
【図１０】
0005177642.tif 000011
【図１１】
0005177642.tif 000012